(57)【要約】【課題】音源の選択に応じて複数のスピーカに対する複数チャンネルの音場形成信号の供給態様を切り換えて、選択された音源からの音声信号に基づく再生音声を聴取する者に対して、適正なサラウンド方式の音場を形成することができるものとする。【課題手段】各々が所定の個別位置に配された複数のスピーカ部 (20〜24) と、各々が独立した複数の音声信号を夫々送出するものとされた複数の音源部(12,14,16)と、選択された音源部からの音声信号が供給され、それに基づく複数チャンネルの音場形成信号を送出する音声信号処理部(18)と、音声信号処理部からの複数チャンネルの音場形成信号を複数のスピーカ部に夫々供給し、音声信号処理部に音声信号を供給する音源の選択に応じて、複数チャンネルの音場形成信号の複数のスピーカ部への供給態様を切り換える状態をとる音声信号供給切換部(19)とを備える。【選択図】図１
2006166362.tif 000002
【特許請求の範囲】
【請求項１】
各々が所定の個別位置に配された複数のスピーカ部と、
各々が独立した複数の音声信号を夫々送出するものとされた複数の音源部と、
該複数の音源部のうちの選択されたものからの音声信号が供給され、該音声信号に基づく複数チャンネルの音場形成信号を送出する音声信号処理部と、
該音声信号処理部からの複数チャンネルの音場形成信号を上記複数のスピーカ部に夫々供給し、上記複数の音源部のうちの上記音声信号処理部に音声信号を供給するものの選択に応じて、上記複数チャンネルの音場形成信号の上記複数のスピーカ部への供給態様を切り換える状態をとる音声信号供給切換部と、
を備えて構成される音響装置。
【請求項２】
上記複数のスピーカ部が、４個以上のスピーカ部とされ、上記複数チャンネルの音場形成信号が、４チャンネル以上の音場形成信号とされることを特徴とする請求項１記載の音響装置。
【請求項３】
上記４チャンネル以上の音場形成信号が、左音声信号，右音声信号，サラウンド左音声信号及びサラウンド右音声信号を含むものとされることを特徴とする請求項２記載の音響装置。
【請求項４】
上記複数の音源部のうちの少なくとも一つが、映像表示と音声再生とを行う映像音声機器における音声信号送出部とされることを特徴とする請求項２記載の音響装置。
【請求項５】
上記音声信号供給切換部が、上記複数チャンネルの音場形成信号の全部を扱う単一のユニットとして形成されることを特徴とする請求項１記載の音響装置。
【請求項６】
上記音声信号供給切換部が、上記複数チャンネルの音場形成信号を夫々扱う複数のユニットを含んで形成されることを特徴とする請求項１記載の音響装置。
【発明の詳細な説明】
【技術分野】
【０００１】
本願の特許請求の範囲に記載された発明は、複数チャンネルの音場形成信号を個別位置に配された複数のスピーカに供給して音場形成を行う音響装置に関する。
【背景技術】
【０００２】
例えば、一つのホール空間内に、各々が個別の位置をとるものとされる複数のスピーカを配し、それらの複数のスピーカに、左音声信号，右音声信号，サラウンド左音声信号，サラウンド右音声信号等とされる複数チャンネルの音場形成信号を夫々供給して、ホール空間内の聴取者に対して臨場感が強調されることになるサラウンド方式の音場を形成することが知られている。こうしたサラウンド方式の音場は、例えば、テレビジョン受像機，ビデオプロジェクタ，ビデオモニタ等の画像表示装置を用いての画像表示を行い、それにより表示される画像に対応する音声を再生するものとして形成されることも少なくない。
【０００３】
サラウンド方式の音場が画像表示装置により表示される画像に対応する音声を再生するものとして形成される場合、画像表示装置における表示画面部の位置及び向きと、サラウンド方式の音場の形成に使用される複数のスピーカの夫々の位置と、複数のスピーカに夫々供給される複数チャンネルの音場形成信号とは、所定の関係にあることが要求される。通常、画像表示装置における表示画面部は、画像表示装置により表示される画像を視るとともにサラウンド方式の音場をもって再生される音声を聴く視聴者に対面する位置に配され、複数のスピーカは視聴者となる位置に配される。そして、複数チャンネルの音場形成信号の複数のスピーカへの供給は、例えば、左音声信号が視聴者の前方左側に配置されたスピーカに，右音声信号が視聴者の前方右側に配置されたスピーカに，サラウンド左音声信号が視聴者の後方左側に配置されたスピーカに、そして、サラウンド右音声信号が視聴者の後方右側に配置されたスピーカに、というようになされる。
【０００４】
斯かる際、画像表示装置が複数箇所に配置され、サラウンド方式の音場をもって再生される音声に対応する画像が複数の画像表示装置の夫々によって表示されるようにされる設定もしばしば採られる。このようなもとで、複数の画像表示装置のうちの一つにおける表示画面部に対面して、当該一つの画像表示装置により表示される画像を視ていた視聴者が向きを変え、視聴者によって視られる画像を表示する画像表示装置が複数の画像表示装置のうちの他のものに変更されたときには、複数チャンネルの音場形成信号の複数のスピーカへの供給態様も変更されなければならなくなる。即ち、当該他の画像表示装置における表示画面部に対面することとなった視聴者に対して、例えば、その前方左側となるスピーカ，その前方右側となるスピーカ，その後方左側となるスピーカ及びその後方右側となるスピーカに、左音声信号，右音声信号，サラウンド左音声信号及びサラウンド右音声信号が、夫々、供給される状態がとられることが必要とされる。
【０００５】
これに関連して、従来、二つのモニタテレビジョンが各々の表示画面部を相互対向させて配された二つのモニタテレビジョンと、それらの夫々により表示される画像に対応する音声をサラウンド方式の音場をもって再生する、各々が個別位置に配された複数のスピーカとを含んで構成される音響映像装置（ＡＶ装置）であって、二つのモニタテレビジョンの夫々における相互対向する表示画面部に挟まれた視聴者が、二つのモニタテレビジョンの一方により表示される画像を視るときと、二つのモニタテレビジョンの他方により表示される画像を視るときとで、複数のスピーカに夫々供給される複数チャンネルの音場形成信号の切換えが行われるようにされたものが提案されている（例えば、特許文献１参照。）。
【０００６】
このような従来提案されている音響映像装置にあっては、二つのモニタテレビジョンと複数のスピーカとに加えて、ＡＶセンタコントローラ及び複数のスピーカに複数チャンネルの音場形成信号を供給する信号供給回路部も備えられており、信号供給回路部には、複数のスピーカに夫々供給される複数チャンネルの音場形成信号を切り換える複数の切換スイッチが設けられている。そして、視聴者が二つのモニタテレビジョンの一方における表示画面に対面して、当該一方のモニタテレビジョンにより表示される画像を視る状態がとられるときと、視聴者が二つのモニタテレビジョンの他方における表示画面に対面して、当該他方のモニタテレビジョンにより表示される画像を視る状態がとられるときとで、ＡＶセンタコントローラが操作されることにより複数の切換スイッチの切換えが行われて、複数のスピーカに対する複数チャンネルの音場形成信号の供給態様が変更される。斯かる際、複数チャンネルの音場形成信号は、例えば、フロント左チャンネル音声信号，サラウンド左チャンネル音声信号，フロント右チャンネル音声信号，サラウンド右チャンネル音声信号，センター音声信号及びサブウーファ音声信号とされる。
【特許文献１】特開２００１−１２８２８３号公報
【発明の開示】
【発明が解決しようとする課題】
【０００７】
上述のような従来提案されている音響映像装置は、二つのモニタテレビジョンの夫々により表示される画像に対応した、一つの音源からの音声信号に基づいて得られる複数チャンネルの音場形成信号が、複数のスピーカに夫々供給されて、サラウンド方式の音場が形成されるものである。これに対して、例えば、各々が独立した複数の音声信号を夫々送出する複数の音源が備えられ、複数の音源のうちのいずれかが選択されて、その選択された音源からの音声信号に基づいて得られる複数チャンネルの音場形成信号が複数のスピーカに夫々供給されて、選択された音源に応じたサラウンド方式の音場が形成される状況も考えられる。
【０００８】
例えば、各々が独立した映像信号が供給されてそれに基づく画像を表示するものとされる複数の画像表示装置が、個別位置をもって配置されるとともに、複数の画像表示装置に共通の一組の複数のスピーカが、個別位置をもって配置され、複数の画像表示装置のいずれにより表示される画像についても、それに対応する音声が、一組の複数のスピーカが使用されて形成されるサラウンド方式の音場をもって再生される、とような映像音声システムのような場合である。斯かる映像音声システムにあっては、複数の画像表示装置に供給される複数の映像信号に夫々対応する、各々が独立した複数の音声信号を夫々送出する複数の音源が備えられる。そして、複数の音源のうちのいずれかが、画像を表示する画像表示装置についての選択に伴って選択され、選択された音源からの音声信号に基づいて得られる複数チャンネルの音場形成信号が、一組の複数のスピーカに夫々供給されてサラウンド方式の音場が形成され、それにより、複数の画像表示装置のいずれかにより表示される画像に対応する音声が再生される。
【０００９】
このような、各々が独立した複数の音声信号を夫々送出する複数の音源のうちのいずれかが選択され、その選択された音源からの音声信号に基づいて得られる複数チャンネルの音場形成信号が複数のスピーカに夫々供給されて、選択された音源に応じたサラウンド方式の音場が形成される場合においても、例えば、複数の画像表示装置のうちの視聴者により視られる画像を表示するものの選択に伴う音源の選択に応じて、一組の複数のスピーカに対する複数チャンネルの音場形成信号の供給態様を切り換えることが必要とされる。一組の複数のスピーカに供給される複数チャンネルの音場形成信号が、選択された画像表示装置により表示される画像に対応する音声を再生するものとされ、選択された画像表示装置に応じて、視聴者の向きが変えられるからである。
【００１０】
そのため、複数の音源のうちのいずれかが選択され、選択された音源からの音声信号に基づいて得られる複数チャンネルの音場形成信号が複数のスピーカに夫々供給されて、選択された音源に応じたサラウンド方式の音場が形成されるにあたり、音源の選択に応じて、複数のスピーカに対する複数チャンネルの音場形成信号の供給態様を切り換えることができ、それにより選択された音源からの音声信号に基づいて再生される音声を聴取する者に対して、適正なサラウンド方式の音場を形成できることになる装置が望まれるところとなる。しかしながら、従来にあっては、このような装置として具体化されたものは見当たらず、また、このような装置に係る技術について記載された文献も見当たらない。
【００１１】
斯かる点に鑑み、本願の特許請求の範囲に記載された発明は、各々が独立した複数の音声信号を夫々送出する複数の音源のうちのいずれかが選択されるもとで、その選択された音源からの音声信号に基づいて得られる複数チャンネルの音場形成信号を複数のスピーカに夫々供給して、選択された音源に応じたサラウンド方式の音場を形成するにあたり、音源の選択に応じて、複数のスピーカに対する複数チャンネルの音場形成信号の供給態様を切り換えて、選択された音源からの音声信号に基づく再生音声を聴取する者に対して、適正なサラウンド方式の音場を形成することができ、しかも、音源の追加あるいは削減を容易に行えることになる音響装置を提案する。
【課題を解決するための手段】
【００１２】
本願の特許請求の範囲における請求項１から請求項６までのいずれかに記載された発明に係る音響装置は、各々が所定の個別位置に配された複数のスピーカ部と、各々が独立した複数の音声信号を夫々送出するものとされた複数の音源部と、複数の音源部のうちの選択されたものからの音声信号が供給され、その音声信号に基づく複数チャンネルの音場形成信号を送出する音声信号処理部と、音声信号処理部からの複数チャンネルの音場形成信号を複数のスピーカ部に夫々供給し、複数の音源部のうちの音声信号処理部に音声信号を供給するものの選択に応じて、複数チャンネルの音場形成信号の複数のスピーカ部への供給態様を切り換える状態をとる音声信号供給切換部、を備えて構成される。
【００１３】
上述の如くに構成される本願の特許請求の範囲における請求項１から請求項６までのいずれかに記載された発明に係る音響装置にあっては、例えば、各々が映像信号に基づく画像を表示する画像表示装置に設けられて、表示される画像に対応する音声信号を送出するものとされる、複数の音源部が備えられる。そして、例えば、画像を表示する画像表示装置についての選択に伴って、複数の音源部のいずれかが選択されると、音声信号処理部から、選択された音源部からの音声信号に基づく複数チャンネルの音場形成信号が得られ、それらが、音声信号供給切換部に供給される。音声信号供給切換部は、複数チャンネルの音場形成信号を複数のスピーカ部に夫々供給して、選択された音源部からの音声信号に基づく音声が、サラウンド方式の音場をもって再生されるようになすが、その際、複数のスピーカ部に対する複数チャンネルの音場形成信号の供給態様についての、複数の音源部についての選択に応じた切換えを、必要に応じて行う。
【００１４】
このようなもとで、複数のスピーカ部は、例えば、４個以上のスピーカ部とされ、複数チャンネルの音場形成信号は、例えば、４チャンネル以上の音場形成信号であって、例えば、左音声信号，右音声信号，サラウンド左音声信号及びサラウンド右音声信号を含むものとされる。
【発明の効果】
【００１５】
本願の特許請求の範囲における請求項１から請求項６までのいずれかに記載された発明に係る音響装置によれば、複数の音源部のうちのいずれが選択される場合にも、選択された音源部からの音声信号に基づく再生音声を聴取する者に対して、適正なサラウンド方式の音場を形成することができる。従って、例えば、本願の特許請求の範囲における請求項１から請求項６までのいずれかに記載された発明に係る音響装置が、映像信号に基づく画像を表示する複数の画像表示装置と共に使用されるもとでは、当該音響装置により、画像を表示する画像表示装置についての選択に伴って複数の音源部のいずれかが選択されるとき、選択された画像表示装置により表示される画像を視るとともに選択された音源部からの音声信号に基づく再生音声を聴取する視聴者に対して、表示される画像に対応する音声を、適正なサラウンド方式の音場をもって再生することができることになる。
【００１６】
また、本願の特許請求の範囲における請求項１から請求項６までのいずれかに記載された発明に係る音響装置にあっては、複数の音源部のうちの選択されたものからの音声信号に基づく再生音声が適正なサラウンド方式の音場をもって再生されるにあたり、複数の音源の数は制約要件にならない。従って、例えば、音声信号処理部に対する音源部の接続状態の変更あるいは音声信号処理部の設定の変更及び音声信号供給切換部の設定の変更により、音声再生の対象とされる音源部の追加あるいは削減を容易に行うことができる。
【発明を実施するための最良の形態】
【００１７】
本願の特許請求の範囲における請求項１から請求項６までのいずれかに記載された発明を実施するための最良の形態は、以下に述べられる実施例をもって説明される。
【実施例】
【００１８】
図１は、本願の特許請求の範囲における請求項１から請求項６までのいずれかに記載された発明に係る音響装置の一例についての基本構成を示す。
【００１９】
図１に基本構成が示される音響装置の例にあっては、ビデオプロジェクタ（ＶＰＪ）１１に備えられたＶＰＪ音声信号送出部１２，テレビジョン（ＴＶ）受信機（以下、ＴＶ受信機という。）１３に備えられたＴＶ音声信号送出部１４、及び、パーソナル・コンピュータ（以下、ＰＣという。）１５に備えられたＰＣ音声信号送出部１６が含まれている。ビデオプロジェクタ１１，ＴＶ受信機１３及びＰＣ１５の夫々は、いずれも、映像信号に基づく画像を表示する画像表示装置である。ＶＰＪ音声信号送出部１２は、ビデオプロジェクタ１１がスクリーン上に投射表示する画像に対応した音声をあらわす音声信号ＳＰＪを送出する音源部を構成し、ＴＶ音声信号送出部１４は、ＴＶ受信機１３が表示画面上に表示する画像に対応した音声をあらわす音声信号ＳＴＶを送出する音源部を構成し、ＰＣ音声信号送出部１６は、ＰＣ１５が表示画面上に表示する画像に対応した音声をあらわす音声信号ＳＰＣを送出する音源部を構成している。
【００２０】
３個の音源部を構成するＶＰＪ音声信号送出部１２，ＴＶ音声信号送出部１４及びＰＣ音声信号送出部１６から夫々得られる音声信号ＳＰＪ，音声信号ＳＴＶ及び音声信号ＳＰＣは、機器制御部１７に供給される。機器制御部１７には、音声信号処理部１８と音声信号供給切換部１９とが備えられている。
【００２１】
音声信号処理部１８には、ＶＰＪ音声信号送出部１２，ＴＶ音声信号送出部１４及びＰＣ音声信号送出部１６から夫々得られる音声信号ＳＰＪ，音声信号ＳＴＶ及び音声信号ＳＰＣが供給されるが、これらは同時に音声信号処理部１８に供給されるのではなく、ＶＰＪ音声信号送出部１２，ＴＶ音声信号送出部１４及びＰＣ音声信号送出部１６のうちのいずれかが選択され、選択されたＶＰＪ音声信号送出部１２，ＴＶ音声信号送出部１４もしくはＰＣ音声信号送出部１６からの音声信号ＳＰＪ，音声信号ＳＴＶもしくは音声信号ＳＰＣが、音声信号処理部１８に供給される。音声信号処理部１８は、音声信号ＳＰＪ，音声信号ＳＴＶもしくは音声信号ＳＰＣに、デコーディング処理等を含む各種の処理を施し、音声信号ＳＰＪ，音声信号ＳＴＶもしくは音声信号ＳＰＣに基づく複数チャンネルの音場形成信号を、例えば、左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳとして得る。
【００２２】
音声信号処理部１８から得られる左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳは、音声信号供給切換部１９に供給される。音声信号供給切換部１９は、音声信号処理部１８からの複数チャンネルの音場形成信号である左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳを、スピーカ部２０に供給される音場形成信号Ｓａ，スピーカ部２１に供給される音場形成信号Ｓｂ，スピーカ部２２に供給される音場形成信号Ｓｃ，スピーカ部２３に供給される音場形成信号Ｓｄ及びスピーカ部２４に供給される音場形成信号Ｓｅに割り当て、機器制御部１７から送出させてスピーカ部２０〜２４に供給する。
【００２３】
音声信号供給切換部１９による左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳの音場形成信号Ｓａ〜Ｓｅへの割当ては、左音声信号ＳＬが音場形成信号Ｓａ〜Ｓｅのうちのいずれかに割り当てられ，右音声信号ＳＲが音場形成信号Ｓａ〜Ｓｅのうちの左音声信号ＳＬが割り当てられたもの以外のもののいずれかに割り当てられ，サラウンド左音声信号ＳＬＳが音場形成信号Ｓａ〜Ｓｅのうちの左音声信号ＳＬ及び右音声信号ＳＲの夫々が割り当てられたもの以外のもののいずれかに割り当てられ，サラウンド右音声信号ＳＲＳが音場形成信号Ｓａ〜Ｓｅのうちの左音声信号ＳＬ，右音声信号ＳＲ及びサラウンド左音声信号ＳＬＳの夫々が割り当てられたもの以外のもののいずれかに割り当てられ，フロントセンター信号ＳＣＦもしくはサラウンドセンター信号ＳＣＳが、音場形成信号Ｓａ〜Ｓｅのうちの左音声信号ＳＬ，右音声信号ＳＲ，サラウンド左音声信号ＳＬＳ及びサラウンド右音声信号ＳＲＳの夫々が割り当てられたもの以外のものに割り当てられるようにして行われる。
【００２４】
そして、音声信号供給切換部１９は、上述のようにして行われる音声信号供給切換部１９による左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳの音場形成信号Ｓａ〜Ｓｅへの割当てにおける、左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳと音場形成信号Ｓａ〜Ｓｅとの割当て対応関係を、音声信号処理部１８に供給される音声信号ＳＰＪ，音声信号ＳＴＶ及び音声信号ＳＰＣのいずれかに応じたもの、即ち、ＶＰＪ音声信号送出部１２，ＴＶ音声信号送出部１４及びＰＣ音声信号送出部１６についての選択状況に応じたものとし、そのため、左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳと音場形成信号Ｓａ〜Ｓｅとの割当て対応関係についての必要に応じた切換えを行う。
【００２５】
音声信号供給切換部１９から得られる、各々が左音声信号ＳＬ，右音声信号ＳＲ，サラウンド左音声信号ＳＬＳ，サラウンド右音声信号ＳＲＳ及びフロントセンター信号ＳＣＦもしくはサラウンドセンター信号ＳＣＳのうちのいずれかが割り当てられたものとされる音場形成信号Ｓａ〜Ｓｅは、機器制御部１７から送出されてスピーカ部２０〜２４に夫々供給される。その結果、スピーカ部２０〜２４によって、左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳに基づくサラウンド方式の音場が形成され、音声信号処理部１８に供給される音声信号ＳＰＪ，音声信号ＳＴＶもしくは音声信号ＳＰＣに基づく音声が再生される。
【００２６】
このようなもとで、左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳと音場形成信号Ｓａ〜Ｓｅとの割当て対応関係を、それについての必要に応じた切換えを行って、ＶＰＪ音声信号送出部１２，ＴＶ音声信号送出部１４及びＰＣ音声信号送出部１６についての選択状況に応じたものとする音声信号供給切換部１９は、複数の音場形成信号である左音声信号ＳＬ，右音声信号ＳＲ，サラウンド左音声信号ＳＬＳ，サラウンド右音声信号ＳＲＳ、及び、フロントセンター信号ＳＣＦもしくはサラウンドセンター信号ＳＣＳのスピーカ部２０〜２４への供給態様を、それについての必要に応じた切換えを行って、３個の音源部を構成するＶＰＪ音声信号送出部１２，ＴＶ音声信号送出部１４及びＰＣ音声信号送出部１６についての選択状況に応じたものとすることになる。
【００２７】
上述の図１に基本構成が示される音響装置の例におけるビデオプロジェクタ１１，ＴＶ受信機１３，ＰＣ１５，機器制御部１７及びスピーカ部２０〜２４は、例えば、図２に示されるように、一つのホール空間３０内に配置される。ホール空間３０内には、ビデオプロジェクタ１１による画像投射表示が行われるスクリーン３１も備えられている。また、ホール空間３０内においては、ビデオプロジェクタ１１，ＴＶ受信機１３もしくはＰＣ１５により表示される画像を視るとともに、スピーカ部２０〜２４によりサラウンド方式の音場をもって再生される音声を聴く視聴者３２が、スクリーン３１，ＴＶ受信機１３における表示画面部もしくはＰＣ１５における表示画面部に対面する位置をとる。なお、図２においては、スピーカ部２０，２１，２３及び２４の夫々は、個々独立のものとされているが、スピーカ部２２は、ＴＶ受信機１３と一体化されている。
【００２８】
ホール空間３０内において、視聴者３２が、ビデオプロジェクタ１１がスクリーン３１に投射表示する画像を視るとともに、スピーカ部２０〜２４によりサラウンド方式の音場をもって再生される当該画像に対応する音声を聴くべく、ビデオプロジェクタ１１を選択して、スクリーン３１に対面する位置をとる場合には、図３に示されるように、選択されたビデオプロジェクタ１１に備えられたＶＰＪ音声信号送出部１２からの音声信号ＳＰＪが、機器制御部１７に供給される。このとき、視聴者３２に対するスピーカ部２０〜２４の夫々についての音場形成の観点からの配置位置は、等価的に図２に示されるようにあらわされる。
【００２９】
このとき、機器制御部１７における音声信号処理部１８は、音声信号ＳＰＪに基づく複数チャンネルの音場形成信号である左音声信号ＳＬ，右音声信号ＳＲ，サラウンド左音声信号ＳＬＳ，サラウンド右音声信号ＳＲＳ及びサラウンドセンター信号ＳＣＳを形成する。そして、機器制御部１７における音声信号供給切換部１９は、ビデオプロジェクタ１１の選択に応じて、音声信号処理部１８からの左音声信号ＳＬ，右音声信号ＳＲ，サラウンド左音声信号ＳＬＳ，サラウンド右音声信号ＳＲＳ及びサラウンドセンター信号ＳＣＳについて、左音声信号ＳＬを音場形成信号Ｓａに，右音声信号ＳＲを音場形成信号Ｓｂに，サラウンド左音声信号ＳＬＳを音場形成信号Ｓｅに，サラウンド右音声信号ＳＲＳを音場形成信号Ｓｃに，サラウンドセンター信号ＳＣＳを音場形成信号Ｓｄに、夫々対応させる。それにより、図３に示されるように、左音声信号ＳＬがスピーカ部２０に，右音声信号ＳＲがスピーカ部２１に，サラウンド左音声信号ＳＬＳがスピーカ部２４に，サラウンド右音声信号ＳＲＳがスピーカ部２２に，サラウンドセンター信号ＳＣＳがスピーカ部２３に、夫々供給される。その結果、スピーカ部２０〜２４により、左音声信号ＳＬ，右音声信号ＳＲ，サラウンド左音声信号ＳＬＳ，サラウンド右音声信号ＳＲＳ及びサラウンドセンター信号ＳＣＳに基づくサラウンド方式の音場が、スクリーン３１に対面する位置をとる視聴者３２に対して適正なものとして形成され、選択されたビデオプロジェクタ１１に備えられたＶＰＪ音声信号送出部１２からの音声信号ＳＰＪに基づく音声が再生される。
【００３０】
また、ホール空間３０内において、視聴者３２が、ＴＶ受信機１３が表示画面部に表示する画像を視るとともに、スピーカ部２０〜２４によりサラウンド方式の音場をもって再生される当該画像に対応する音声を聴くべく、ＴＶ受信機１３を選択して、ＴＶ受信機１３における表示画面部に対面する位置をとる場合には、図４に示されるように、選択されたＴＶ受信機１３に備えられたＴＶ音声信号送出部１４からの音声信号ＳＴＶが、機器制御部１７に供給される。このとき、視聴者３２に対するスピーカ部２０〜２４の夫々についての音場形成の観点からの配置位置は、等価的に図４に示されるようにあらわされる。
【００３１】
このとき、機器制御部１７における音声信号処理部１８は、音声信号ＳＴＶに基づく複数チャンネルの音場形成信号である左音声信号ＳＬ，右音声信号ＳＲ，サラウンド左音声信号ＳＬＳ，サラウンド右音声信号ＳＲＳ及びフロントセンター信号ＳＣＦを形成する。そして、機器制御部１７における音声信号供給切換部１９は、ＴＶ受信機１３の選択に応じて、音声信号処理部１８からの左音声信号ＳＬ，右音声信号ＳＲ，サラウンド左音声信号ＳＬＳ，サラウンド右音声信号ＳＲＳ及びフロントセンター信号ＳＣＦについて、左音声信号ＳＬを音場形成信号Ｓｂに，右音声信号ＳＲを音場形成信号Ｓｄに，サラウンド左音声信号ＳＬＳを音場形成信号Ｓａに，サラウンド右音声信号ＳＲＳを音場形成信号Ｓｅに，フロントセンター信号ＳＣＦを音場形成信号Ｓｃに、夫々対応させる。それにより、図４に示されるように、左音声信号ＳＬがスピーカ部２１に，右音声信号ＳＲがスピーカ部２３に，サラウンド左音声信号ＳＬＳがスピーカ部２０に，サラウンド右音声信号ＳＲＳがスピーカ部２４に，フロントセンター信号ＳＣＦがスピーカ部２２に、夫々供給される。その結果、スピーカ部２０〜２４により、左音声信号ＳＬ，右音声信号ＳＲ，サラウンド左音声信号ＳＬＳ，サラウンド右音声信号ＳＲＳ及びフロントセンター信号ＳＣＦに基づくサラウンド方式の音場が、ＴＶ受信機１３における表示画面部に対面する位置をとる視聴者３２に対して適正なものとして形成され、選択されたＴＶ受信機１３に備えられたＴＶ音声信号送出部１４からの音声信号ＳＴＶに基づく音声が再生される。
【００３２】
さらに、ホール空間３０内において、視聴者３２が、ＰＣ１５が表示画面部に表示する画像を視るとともに、スピーカ部２０〜２４によりサラウンド方式の音場をもって再生される当該画像に対応する音声を聴くべく、ＰＣ１５を選択して、ＰＣ１５における表示画面部に対面する位置をとる場合には、図５に示されるように、選択されたＰＣ１５に備えられたＰＣ音声信号送出部１６からの音声信号ＳＰＣが、機器制御部１７に供給される。このとき、視聴者３２に対するスピーカ部２０〜２４の夫々についての音場形成の観点からの配置位置は、等価的に図５に示されるようにあらわされる。
【００３３】
このとき、機器制御部１７における音声信号処理部１８は、音声信号ＳＰＣに基づく複数チャンネルの音場形成信号である左音声信号ＳＬ，右音声信号ＳＲ，サラウンド左音声信号ＳＬＳ，サラウンド右音声信号ＳＲＳ及びサラウンドセンター信号ＳＣＳを形成する。そして、機器制御部１７における音声信号供給切換部１９は、ＰＣ１５の選択に応じて、音声信号処理部１８からの左音声信号ＳＬ，右音声信号ＳＲ，サラウンド左音声信号ＳＬＳ，サラウンド右音声信号ＳＲＳ及びサラウンドセンター信号ＳＣＳについて、左音声信号ＳＬを音場形成信号Ｓｄに，右音声信号ＳＲを音場形成信号Ｓｅに，サラウンド左音声信号ＳＬＳを音場形成信号Ｓｃに，サラウンド右音声信号ＳＲＳを音場形成信号Ｓａに，サラウンドセンター信号ＳＣＳを音場形成信号Ｓｂに、夫々対応させる。それにより、図５に示されるように、左音声信号ＳＬがスピーカ部２３に，右音声信号ＳＲがスピーカ部２４に，サラウンド左音声信号ＳＬＳがスピーカ部２２に，サラウンド右音声信号ＳＲＳがスピーカ部２０に，サラウンドセンター信号ＳＣＳがスピーカ部２１に、夫々供給される。その結果、スピーカ部２０〜２４により、左音声信号ＳＬ，右音声信号ＳＲ，サラウンド左音声信号ＳＬＳ，サラウンド右音声信号ＳＲＳ及びサラウンドセンター信号ＳＣＳに基づくサラウンド方式の音場が、ＰＣ１５に対面する位置をとる視聴者３２に対して適正なものとして形成され、選択されたＰＣ１５に備えられたＰＣ音声信号送出部１６からの音声信号ＳＰＣに基づく音声が再生される。
【００３４】
上述のように、図１に基本構成が示される音響装置の例によれば、ビデオプロジェクタ１１，ＴＶ受信機１３及びＰＣ１５と共に使用されるもとで、ビデオプロジェクタ１１，ＴＶ受信機１３及びＰＣ１５のうちのいずれかの選択に伴って、ＶＰＪ音声信号送出部１２，ＴＶ音声信号送出部１４及びＰＣ音声信号送出部１６のうちのいずれかが選択されるとき、選択されたビデオプロジェクタ１１，ＴＶ受信機１３もしくはＰＣ１５により表示される画像を視るとともに選択されたＶＰＪ音声信号送出部１２，ＴＶ音声信号送出部１４もしくはＰＣ音声信号送出部１６からの音声信号ＳＰＪ，音声信号ＳＴＶもしくは音声信号ＳＰＣに基づく再生音声を聴く視聴者に対して、表示される画像に対応する音声を、適正なサラウンド方式の音場をもって再生することができることになる。
【００３５】
なお、図１に基本構成が示される音響装置の例にあっては、音声信号供給切換部１９が、複数チャンネルの音場形成信号Ｓａ〜Ｓｅの全部を扱う単一のユニットとして形成されているが、声信号供給切換部１９は、複数チャンネルの音場形成信号Ｓａ〜Ｓｅを夫々扱う複数のユニットを含んで形成されるものとされてもよい。
【産業上の利用可能性】
【００３６】
以上のような本願の特許請求の範囲における請求項１から請求項６までのいずれかに記載された発明に係る音響装置は、例えば、映像信号に基づく画像を表示する画像表示装置と共に使用されるもとで、画像を表示する画像表示装置についての選択に伴って複数の音源部のいずれかが選択されるとき、選択された画像表示装置により表示される画像を視るとともに選択された音源部からの音声信号に基づく再生音声を聴取する視聴者に対して、表示される画像に対応する音声を、適正なサラウンド方式の音場をもって再生することができるものとして、広く適用することができるものである。
【図面の簡単な説明】
【００３７】
【図１】本願の特許請求の範囲における請求項１から請求項６までのいずれかに記載された発明に係る音響装置の一例の基本構成を示すブロック接続図である。
【図２】図１に基本構成が示される音響装置の例を構成する各部の配置位置の一例を示す概念図である。
【図３】図１に基本構成が示される音響装置の例の動作説明に供される概念図である。
【図４】図１に基本構成が示される音響装置の例の動作説明に供される概念図である。
【図５】図１に基本構成が示される音響装置の例の動作説明に供される概念図である。
【符号の説明】
【００３８】
１１・・・ビデオプロジェクタ，  １２・・・ＶＰＪ音声信号送出部，  １３・・・ＴＶ受信機，  １４・・・ＴＶ音声信号送出部，  １５・・・ＰＣ，  １６・・・ＰＣ音声信号送出部，  １７・・・機器制御部，  １８・・・音声信号処理部，  １９・・・音声信号供給切換部，  ２０〜２４・・・スピーカ部，  ３０・・・ホール空間，  ３１・・・スクリーン，  ３２・・・視聴者
【図１】
2006166362.tif 000003
【図２】
2006166362.tif 000004
【図３】
2006166362.tif 000005
【図４】
2006166362.tif 000006
【図５】
2006166362.tif 000007